(57)【要約】【課題】表面の表示を行っている時、背面からの外光が透過し表示が見難い。【解決手段】光源（ＬＥＤ３）端面に近接配置された導光板２と、導光板２の出光面（上面）２ａ側に配設された光学シート４と、光学シート４の上面に配設されたメイン表示パネル５と、導光板２の下面側に配設された反射シート６とからなるメイン表示ディバイス１と、メイン表示ディバイス１に背中合わせに配設されたサブ表示パネル７とよりなる両面表示機器であって、メイン表示パネル５が表示状態の時に、サブ表示パネル７に背面からの外光の透過を防ぐ遮蔽手段として、サブ表示パネル７に電気を印加して黒色表示させ、背面からの外光を吸収させる。又は、サブ表示パネル７に電気が印加しない状態で黒色表示（ＬＥＤをノーマリー・ブラツク）に設定する。背面からの透過光を遮蔽する。メイン表示の視認性が向上する。安価で携帯性に優れた照明ユニットが提供できる。【選択図】　　　図１
2004078047.tif 000002
【特許請求の範囲】
【請求項１】
光源と、該光源の端面に近接配置された導光板と、該導光板の出光面（上面）側に配設された光学シートと、該光学シートの上面に配設された表面側液晶表示パネル（メイン表示パネル）と、前記導光板の下面側に配設された反射シートとからなるメイン表示ディバイスと、該メイン表示ディバイスに背中合わせに配設された背面側液晶表示パネル（サブ表示パネル）を有するサブ表示ディバイスを具備した両面表示機器において、前記メイン表示パネルが表示状態の時に、サブ表示パネルに背面からの外光の透過を防ぐ遮蔽手段を設けたことを特徴とする両面表示機器。
【請求項２】
前記背面からの外光の透過を防ぐ遮蔽手段は、前記サブ表示パネルに電気を印加して黒色表示させ、該黒色表示されたサブ表示パネルで、背面からの外光を吸収し、前記サブ表示パネルに外光遮蔽機能を持たせたことを特徴とする請求項１記載の両面表示機器。
【請求項３】
前記背面からの外光の透過を防ぐ遮蔽手段は、前記サブ表示パネルに電気が印加されていないノーマリー・ブラツク状態で黒色表示させ、該黒色表示されたサブ表示パネルで、背面からの外光を吸収し、前記サブ表示パネルに外光遮蔽機能を持たせたことを特徴とする請求項１記載の両面表示機器。
【発明の詳細な説明】
【０００１】
【発明の属する技術分野】
本発明は、パーソナルコンピューター、プリンター、ＰＤＡ、ファクシミリ、ページャー、携帯電話等の民生機器に使用される両面表示機器に関する。
【０００２】
【従来の技術】
近年、光通信機能を搭載したノート型パソコン、ＰＤＡ、携帯電話等の携帯機器などの各種電子機器の表示装置として、薄型で見やすいバックライト機構を備えた液晶表示ディバイス（ＬＣＤ）が広く用いられている。従来のこのようなＬＣＤを備えた両面表示機器として、例えば、携帯電話のＬＣＤバックライトについて説明する。
【０００３】
図２は、携帯電話のケースを開いた使用時の状態を示す斜視図で、図２（ａ）、（ｂ）において、１１は図示しない複数のボタンが配設されたケース本体であり、１２は、ケース本体１１に蝶番結合されたケースの表示部である。１３は、表示部１２の見開き側に配設された表面側液晶表示パネル（メイン表示パネル）であり、１４は、前記メイン表示パネル１３と背中合わせに配設された背面側液晶表示パネル（サブ表示パネル）である。
【０００４】
図２（ａ）において、矢印Ａに示すように、背面からの外光（直射日光など）を受け、背面（サブ）表示面の透過光（矢印Ｂ）により、図２（ｂ）に示すごとく、表側（メイン）表示面にサブ表示パネル１４の像が１４Ａのように窓状に浮き上がる。
【０００５】
図３は、携帯電話の両面表示ユニットの表示部の構造を示す要部断面図である。図３において、メイン表示ディバイス１５について説明する。１６は、メイン表示ディバイス側の導光板で、透明なプラスチックなどよりなる透光性部材からなり、該導光板は、断面形状が平板状又は楔状で、平面形状は略長方形をしている。前記導光板１６の上面１６ａは出光面で、下面１６ｂには、前記導光板１６の端面に近接配設した光源として、例えばＬＥＤ１７からの光を上面１６ａ方向へ反射される微細な凹凸などの乱反射部が形成されている。前記導光板１６の出光面（上面１６ａ）側には、プリズムシート又は光拡散シートである光学シート１８が配設されている。前記プリズムシートは、光を集光させ、面輝度を向上させる。光拡散シートは、プリズムの上又は下に配設され、面輝度のムラを補正する機能を有している。また、該光学シート１８の上面に配設されたメイン表示パネル１３と、前記導光板１６の下面側には反射シート１９が配設されている。
【０００６】
図３において、サブ表示ディバイス２０について説明する。上述したメイン表示ディバイス１５と同様な構成で、サブ表示ディバイス側の導光板２１、導光板２１の端面に配設されたＬＥＤ２２、導光板２１の出光面側に光学シート２３が配設され、前記導光板２１の出光面と反対側に反射シート２４が配置されている。
【０００７】
上記したメイン表示ディバイス１５とサブ表示ディバイス２０は背中合わせにした状態で１つケース２５内に収納されて両面表示ユニットを構成している。
【０００８】
次に、上記した構成のメイン表示ディバイスの作用について説明する。前記光源であるＬＥＤ１７は着信時及び使用中には全点灯する。ＬＥＤ１７を出射した光は導光板１６の端面から内部に導入され、導光板１６の内部で全反射を繰り返して拡散するとともに、導光板１６の下面１６ｂの反射面で反射した上方向に向かった光が、導光板１６の上面（出光面）１６ａから外部に投射される。導光板１６の下面の反射シート１９側に出た光は、反射した導光板１６内に戻り、やがては上面１６ａから光学シート１８側に出る。この光は光学シート１８の作用で輝度を増し、ムラ無くメイン表示パネル１３を照射する。上記したメイン表示ディバイス１５と背中合わせに配設されているサブ表示ディバイス２０の作用についても同様である。
【０００９】
上述した携帯電話の両面表示ユニットの表示部の構造は、２組の照明ユニットを使用したが、これを更に簡素化した１組の照明ユニットについて説明する。
【００１０】
図４は、携帯電話の両面表示ユニットの表示部の構造を示す要部断面図である。図４において、メイン表示ディバイス３０について説明する。３１は、メイン表示ディバイス側の導光板で、導光板３１の構成は上記した導光板と同様である。前記導光板３１の端面に近接して光源として、例えばＬＥＤ３２が配設されている。導光板３１の出光面（上面３１ａ）側には、プリズムシート又は光拡散シートである光学シート３３が配設されている。また、光学シート３３の上面に配設されたメイン表示パネル３４と、前記導光板３１の下面側に反射シート３５が配設されている。該反射シート３５は、半透過反射膜で、導光板３１からの光を一部は反射させ、一部は透過させる機能を有するものである。
【００１１】
前記メイン表示ディバイス３０と背中合わせに、サブ表示パネル３６が反射シート３５の下面に配設されている。前記メイン表示ディバイス３０とサブ表示パネル３６は１つのケース３７内に収納されている。
【００１２】
上記した構成の両面表示ユニットの作用について説明する。光源、ＬＥＤ３２から出射した光は導光板３１の端面から内部に導入され、導光板３１の内部で全反射を繰り返して拡散するとともに、導光板３１の下面３１ｂの反射面で反射した上方向に向かった光が、導光板３１の上面（出光面）３１ａから外部に投射される。導光板３１の下面の反射シート３５側に出た光は、一部は反射した導光板３１内に戻り、やがては上面３１ａから光学シート側に出る。この出た光は光学シート３３の作用で輝度を増し、ムラ無くメイン表示パネル３４を照射する。
【００１３】
また、導光板３１の下面の反射シート３５側に出た光の一部は、反射シート３５を透過してサブ表示パネル３６を照射する。
【００１４】
【発明が解決しようとする課題】
上記した両面表示ユニットにおいて、図３に示すように、２組の照明ユニットを使用した場合は、各々の表示面の光漏れを防ぐために、バックライトのシート類に遮光機能を有する特殊のシートを使用している例もあるが、図２（ｂ）に見られるように、背面（サブ）側からの外光（矢印Ａ）を受けている時、背面（サブ）表示面の透過光が、表面（メイン）側（矢印Ｂ）に透過してしまい、表面（メイン）表示面に窓状に浮き上がり表示面が見難くなる。また、照明ユニットが２組になり、構成部品点数が多くなり、組み立て工数を多く要し、特殊シートの使用により一層コスト高になる。照明ユニットとしての重量も重くなり携帯性を欠く等の問題があった。
【００１５】
また、図４に示すように、単一光源、単一導光板を使用した場合は、上記したコスト面、携帯性の問題は解消されるが、メイン表示を行っている際に、背面からの外光（矢印Ａ）を受けている時、背面（サブ）表示面の透過光が、表面（メイン）側（矢印Ｂ）に透過してしまい、表面（メイン）の視認性を欠く。この傾向が顕著に現れる。
【００１６】
本発明は上記従来の課題に鑑みなされたものであり、その目的は、両面表示機器において、使用者が表面（メイン）表示を見てる時は、背面（サブ）側は見ていないので、背面（サブ）側から外光を受けている時でも、表面（メイン）表示品質に影響しない。また、携帯性に優れ、安価な両面表示機器を提供するものである。
【００１７】
【課題を解決するための手段】
上記目的を達成するために、本発明における両面表示機器は、光源と、該光源の端面に近接配置された導光板と、該導光板の出光面（上面）側に配設された光学シートと、該光学シートの上面に配設された表面側液晶表示パネル（メイン表示パネル）と、前記導光板の下面側に配設された反射シートとからなるメイン表示ディバイスと、該メイン表示ディバイスに背中合わせに配設された背面側液晶表示パネル（サブ表示パネル）を有するサブ表示ディバイスを具備した両面表示機器において、前記メイン表示パネルが表示状態の時に、サブ表示パネルに背面からの外光の透過を防ぐ遮蔽手段を設けたことを特徴とするものである。
【００１８】
また、前記背面からの外光の透過を防ぐ遮蔽手段は、前記サブ表示パネルに電気を印加して黒色表示させ、該黒色表示されたサブ表示パネルで、背面からの外光を吸収し、前記サブ表示パネル外光遮蔽機能を持たせたことを特徴とするものである。
【００１９】
また、前記背面からの外光の透過を防ぐ遮蔽手段は、前記サブ表示パネルに電気が印加されていないノーマリー・ブラツク状態で黒色表示させ、該黒色表示されたサブ表示パネルで、背面からの外光を吸収し、前記サブ表示パネルに外光遮蔽機能を持たせたことを特徴とするものである。
【００２０】
【発明の実施の形態】
以下、図面に基づいて本発明における両面表示機器について説明する。図１は、本発明の実施の形態に係わる携帯電話の両面表示ユニットの表示部の構造を示す要部断面図である。図１において、メイン表示ディバイス１について説明する。メイン表示ディバイス１は、図４で説明した従来技術と同様である。即ち、導光板２の端面に近接して光源として、例えばＬＥＤ３が配設されている。導光板２の出光面（上面２ａ）側には、プリズムシート又は光拡散シートである光学シート４が配設されている。また、光学シート４の上面に配設されたメイン表示パネル５と、前記導光板２の下面（２ｂ）側には導光板２からの光を一部は反射させ、一部は透過させる機能を有する半透過性の反射シート６が配設されている。前記メイン表示ディバイス１と背中合わせに、サブ表示パネル７が反射シート６の下面に配設されている。前記メイン表示ディバイス１とサブ表示パネル７は１つのケース８内に収納されている。
【００２１】
使用者が表面（メイン）表示を見ている時は、背面（サブ）側の表示を見ていないので、表面（メイン）表示の際は、サブ表示パネル７に電気を印加して黒色表示させることにより外光を吸収し、背面からの外光（矢印Ａ）が背面のサブ表示パネル７を透過することを防ぐ機能を有するものである。
【００２２】
上記した構成の両面表示ユニットの作用について説明する。光源であるＬＥＤ３から出射した光は導光板２の端面から内部に導入され、導光板２の内部で全反射を繰り返して拡散するとともに、導光板２の下面２ｂの反射面で反射した上方向に向かった光が、導光板２の上面（出光面）２ａから外部に投射される。導光板２の下面の反射シート６側に出た光は、一部は反射した導光板２内に戻り、やがては上面２ａから光学シート側に出る。この出た光は光学シート４の作用で輝度を増し、ムラ無くメイン表示パネル５を照射する。また、導光板２の下面の反射シート６側に出た光の一部は、反射シート６を透過してサブ表示パネル７を照射する。
【００２３】
前記両面表示機器のケースを開いて使用者が表面（メイン）表示を見ている時、背面のサブ表示パネル７に電気を印加して、黒色表示されるので、背面からの外光（矢印Ａ）は黒色表示されたサブ表示パネル７に吸収される。従って、背面（サブ）表示面からの外光はサブ表示パネル７で遮蔽されて、外光の透過を防ぎ、表面（メイン）表示に浮き上がることはないので、表面（メイン）の表示品質を損なうことはない。
【００２４】
また、両面表示機器の消費電力を考慮すると、サブ表示パネル７に電気を印加しない状態で黒色表示させる。所謂、ノーマリー・ブラックの状態に設定することにより、背面から透過光をサブ表示パネル７が吸収する。従って、背面（サブ）表示面の透過光が、表面（メイン）表示に浮き上がることはなく、表面（メイン）の表示の視認性が良くなる。
【００２５】
ケースを閉じた状態では、前記半透過性の反射シート６を透過した一部の光がサブ表示パネル７を照射してサブ表示パネル７の表示を視認することができるように構成されている。
【００２６】
【発明の効果】
以上説明したように、本発明によれば、使用者が表面（メイン）表示を見ている際には、背面（サブ）側表示ディバイスに電気を印加して黒色表示するか、または電気が印加されていないノーマリー・ブラック状態に設定することにより、背面（サブ）からの外光を吸収し、透過光を遮蔽することができので、表面（メイン）表示に背面（サブ）表示が窓状に浮き上がることはない。従って、表面（メイン）の表示が見やすくなり、視認性が向上する。
【００２７】
また、装置を構成する部品点数も少なく、軽量で携帯性が良く、表示品質が優れた安価な両面表示機器を提供することができる。
【図面の簡単な説明】
【図１】本発明の実施の形態に係わる携帯電話の両面表示ユニットの表示部の構造を示す要部断面図である。
【図２】従来の携帯電話のケースを開いた使用時の状態を示す斜視図である。
【図３】図２の携帯電話の両面表示ユニットの表示部の構造を示す要部断面図である。
【図４】従来の他の携帯電話の両面表示ユニットの表示部の構造を示す要部断面図である。
【符号の説明】
１　メイン表示ディバイス
２　導光板
３　光源（ＬＥＤ）
４　光学シート
５　表面（メイン）表示パネル
６　反射シート
７　背面（サブ）表示パネル
【図１】
2004078047.tif 000003
【図２】
2004078047.tif 000004
【図３】
2004078047.tif 000005
【図４】
2004078047.tif 000006